(57)【特許請求の範囲】
【請求項１】
合計でＮ個のアンテナポートを取得するために、同一サブフレームにおいて参照信号送信のＫ＞１個のリソース構成を統合すること（aggregating）により前記Ｎ個のアンテナポートに対する送信リソースを構成することを含み、前記Ｋ個のリソース構成のそれぞれはＮｉ個のアンテナポートに対応し、Ｎ＝ＫＮｉであり、
前記Ｋ個のリソース構成及びリソースブロックに関する前記送信リソースの周波数領域密度を示す情報をユーザ装置（ＵＥ：user equipment）に送信することを含む方法であって、
前記周波数領域密度に応じて、前記参照信号は第１のリソースブロック群で送信され、前記第１のリソースブロック群は、周波数領域において１つのリソースブロックおきの間隔を有するリソースブロックから構成され、前記Ｋ個のリソース構成は、前記第１のリソースブロック群に適用される、方法。
【請求項２】
Ｋ＝３であり、Ｎｉ＝４または８である、請求項１に記載の方法。
【請求項３】
Ｎを取得するための基礎となるアンテナポート数を示す情報を送信することをさらに含む、請求項１または２に記載の方法。
【請求項４】
アンテナポート数を示す前記情報は、無線リソース制御（ＲＲＣ：radio resource control）シグナリングを介して送信される、請求項３に記載の方法。
【請求項５】
前記Ｋ個のリソース構成を送信することは、前記ＲＲＣシグナリングを介して前記Ｋ個のリソース構成を指示することを含む、請求項４に記載の方法。
【請求項６】
前記Ｎ個のアンテナポート上で前記ＵＥに前記参照信号を送信することをさらに含む、請求項１〜５のいずれか１項に記載の方法。
【請求項７】
前記参照信号は、チャネル状態情報参照信号（ＣＳＩ−ＲＳ：channel state information reference signal）である、請求項１〜６のいずれか１項に記載の方法。
【請求項８】
基地局から参照信号送信のＫ＞１個のリソース構成及びリソースブロックに関するＮ個のアンテナポートに対する送信リソースの周波数領域密度を示す情報を受信することを含み、
前記送信リソースは、合計で前記Ｎ個のアンテナポートを取得するために、同一のサブフレームにおいて前記Ｋ個のリソース構成を統合すること（aggregating）により構成され、前記Ｋ個のリソース構成のそれぞれはＮｉ個のアンテナポートに対応し、Ｎ＝ＫＮｉである方法であって、
前記周波数領域密度に応じて、前記参照信号は第１のリソースブロック群で受信され、前記第１のリソースブロック群は、周波数領域において１つのリソースブロックおきの間隔を有するリソースブロックから構成され、前記Ｋ個のリソース構成は、前記第１のリソースブロック群に適用される、方法。
【請求項９】
合計でＮ個のアンテナポートを取得するために、同一サブフレームにおいて参照信号送信のＫ＞１個のリソース構成を統合すること（aggregating）により前記Ｎ個のアンテナポートに対する送信リソースを構成するリソース構成モジュールを含み、前記Ｋ個のリソース構成のそれぞれはＮｉアンテナポートに対応し、Ｎ＝ＫＮｉであり、
前記Ｋ個のリソース構成及びリソースブロックに関する前記送信リソースの周波数領域密度を示す情報をユーザ装置（ＵＥ）に送信する送信モジュールを含む装置であって、
前記周波数領域密度に応じて、前記参照信号は第１のリソースブロック群で送信され、前記第１のリソースブロック群は、周波数領域において１つのリソースブロックおきの間隔を有するリソースブロックから構成され、前記Ｋ個のリソース構成は、前記第１のリソースブロック群に適用される、装置。
【請求項１０】
基地局から参照信号送信のＫ＞１個のリソース構成及びリソースブロックに関するＮ個のアンテナポートに対する送信リソースの周波数領域密度を示す情報を受信する受信モジュールを含み、
前記送信リソースは、合計で前記Ｎ個のアンテナポートを取得するために、同一のサブフレームにおいて前記Ｋ個のリソース構成を統合すること（aggregating）により構成され、前記Ｋ個のリソース構成のそれぞれはＮｉ個のアンテナポートに対応し、Ｎ＝ＫＮｉである装置であって、
前記周波数領域密度に応じて、前記参照信号は第１のリソースブロック群で受信され、前記第１のリソースブロック群は、周波数領域において１つのリソースブロックおきの間隔を有するリソースブロックから構成され、前記Ｋ個のリソース構成は、前記第１のリソースブロック群に適用される、装置。
【発明の詳細な説明】
【技術分野】
【０００１】
本開示の非限定的かつ例示的な実施形態は、一般に、無線通信の技術分野に関し、特に、送信パターン構成（transmission pattern configuration）および信号検出（signal detection）のための方法および装置に関する。
【背景技術】
【０００２】
本セクションは、本開示の理解を深めるための態様を紹介する。したがって、このセクションの記述は、この観点から読まれるべきであり、先行技術にあるものまたは先行技術にないものについての自認として理解されるべきではない。
【０００３】
マルチプルインプットマルチプルアウトプット（ＭＩＭＯ：Multiple Input and Multiple Output）技術は、無線通信システムにおいて、スペクトル効率（ＳＥ：spectrum efficiency）を改善するための有効な方法として知られている。例えば、ＭＩＭＯは、third generation project partnership（３ＧＰＰ）により開発されたLong Term Evolution（ＬＴＥ）／LTE-Advanced（ＬＴＥ−Ａ）システムの主要機能として採用されている。従来の１次元（水平領域：horizontal domain）アンテナアレイは、水平領域プリコーディング処理（horizontal domain precoding process）を介してのみ、方位角領域（azimuth domain）において、フレキシブルビームアダプテーション（flexible beam adaption）を提供することができ、垂直方向（vertical direction）に固定されたダウンチルト（down-tilt）が適用される。垂直領域（vertical domain）におけるユーザ固有のエレベーションビームフォーミング（elevation beamforming）および空間多重（spatial multiplexing）も可能であるように、２次元アンテナ平面（two dimensional antenna planar）を利用して、完全なＭＩＭＯ性能（full MIMO capability）を十分に引き出すことが出来ることが最近分かった。
【０００４】
３ＧＰＰリリース１２の検討事項として、２Ｄアンテナアレイ（アクティブアンテナシステム（ＡＡＳ：Active Antenna System）としても知られている）によるユーザ固有のビームフォーミング（user specific beamforming）およびフルディメンショナルＭＩＭＯ（full dimensional MIMO）（つまり、３Ｄ  ＭＩＭＯ）を検討することが提案されている。それにより、潜在的に送信および／または受信利得を改善し、イントラ／インターセル干渉を低減することが出来る。
【０００５】
３ＧＰＰリリース１３の検討事項（ＳＩ：Study Item）では、｛８，１６，３２，６４｝の送信ＲＦユニット（ＴＸＲＵ）を有する２Ｄアンテナアレイのアンテナ構成は、エレベーションビームフォーミング利得（elevation beamforming benefit）を評価するために使用される。ユーザ装置（ＵＥ：user equipment）側で、３Ｄチャネル情報測定（3D channel information measurement）を容易にするために、チャネル状態情報参照信号（ＣＳＩ−ＲＳ：channel state information reference signal）は、８個以上のアンテナポートから送信されるべきである。｛８，１６，３２，６４｝アンテナポートを有するＣＳＩ−ＲＳの送信について議論されてもよい。
【発明の概要】
【０００６】
本開示の様々な実施形態は、柔軟な（フレキシブルな）送信パターン構成を提供する。本開示の実施形態の他の特徴および利点は、例として本開示の実施形態の原理を示す添付の図面と併せて読むことで、以下の特定の実施形態の説明からも理解される。
【０００７】
本開示の第１の態様では、無線システムにおいて送信パターンを構成するための方法を提供する。本方法は、前記送信パターンに使用されるアンテナポート数を指示することと（indicating）、各リソース構成がアンテナポートのＫ個のサブセットの１つに対するリソースを示すＫ個のリソース構成を指示することにより前記アンテナポート数に対する送信リソースを構成することと、を含み、Ｋ＞１であり、アンテナポートの前記Ｋ個のサブセットは前記アンテナポート数のセット（set）を形成する。
【０００８】
本開示の一実施形態では、前記Ｋ個のリソース構成の各々は、構成の予め定められたセットから選択されてもよく、アンテナポートの前記Ｋ個のサブセットのｉ番目のサブセットは、Ｎｉ個のアンテナポートを含み、１＜＝ｉ＜＝Ｋであり、全てのＮｉまたは最小のＮｉを除く全てが整数の予め定められたセットに属してもよい。
【０００９】
本開示の他の実施形態では、Ｋ個のリソース構成を指示することにより前記アンテナポート数に対する送信リソースを構成することは、予め定められた順序に従って前記Ｋ個のリソース構成を指示することを含んでもよく、前記予め定められた順序はアンテナポートの前記Ｋ個のサブセットの各々のサイズに依存する。
【００１０】
本開示の他の実施形態では、Ｋ個のリソース構成を指示することにより前記アンテナポート数に対する送信リソースを構成することは、前記アンテナポートの前記Ｋ個のサブセットの１つに対するリソースを指示するために前記Ｋ個のリソース構成の１つの一部を使用することを含んでもよい。
【００１１】
本開示のさらに他の実施形態では、前記送信パターンに使用されるアンテナポート数を指示することは、無線リソース制御ＲＲＣ（radio resource control）シグナリングを介して前記アンテナポート数を指示することを含んでもよく、Ｋ個のリソース構成を指示することにより前記アンテナポート数に対する送信リソースを構成することは、同一のＲＲＣシグナリングを介して前記Ｋ個のリソース構成を指示することを含む。
【００１２】
いくつかの実施形態では、前記送信パターンは、チャネル状態情報参照信号ＣＳＩ−ＲＳ（channel state information reference signal）送信パターンとすることができる。
【００１３】
本開示の一実施形態では、前記方法は、前記Ｋ個のリソース構成が適用される物理リソースブロックＰＲＢ（physical resource block）のセットを指示すること、または前記Ｋ個のリソース構成の各々に対して、対応するリソース構成が適用される物理リソースブロックＰＲＢのセットを指示することをさらに含んでもよい。
【００１４】
他の実施形態では、前記方法は、前記Ｋ個のリソース構成が適用されるサブフレームのセットを指示すること、または前記Ｋ個のリソース構成の各々に対して、対応するリソース構成が適用されるサブフレームのセットを指示することをさらに含んでもよい。一実施形態では、指示されるサブフレームの第１のセットは、時分割複信ＴＤＤ（time division duplex）システムのスペシャルサブフレーム（special subframe）を含んでもよく、サブフレームの前記第１のセットにおいて適用される前記Ｋ個のリソース構成の第１のリソース構成は、ＴＤＤスペシャルサブフレーム固有のリソース構成を示してもよい。他の実施形態では、前記ＴＤＤスペシャルサブフレーム固有のリソース構成は、プライマリ同期信号ＰＳＳ（primary synchronization signal）、セカンダリ同期信号ＳＳＳ（secondary synchronization signal）、システム情報ブロック１（system information block 1）、ページング情報および物理ブロードキャストチャネルＰＢＣＨ（physical broadcast channel）のためのリソースと衝突しないリソースを示してもよい。
【００１５】
さらに他の実施形態では、前記方法は、前記Ｋ個のリソース構成が適用される前記無線システムのサブバンド（subband）を指示すること、または前記Ｋ個のリソース構成の各々に対して、対応するリソース構成が適用される前記無線システムのサブバンドを指示することをさらに含んでもよい。
【００１６】
本開示の第２の態様では、無線システムにおける信号検出のための方法を提供する。本方法は、前記信号の送信パターン構成を受信することと、前記受信した送信パターン構成および前記Ｋ個のリソース構成に従って前記信号を検出することとを含み、前記送信パターン構成は前記信号送信に使用されるアンテナポート数を指示する指示（indication：インジケーション）を含んでもよく、各リソース構成は、アンテナポートのＫ個のサブセットの１つに対するリソースを示し、Ｋ＞１であり、アンテナポートの前記Ｋ個のサブセットは、前記アンテナポート数のセットを形成する。
【００１７】
一実施形態では、前記Ｋ個のリソース構成の各々は、構成の予め定められたセットから選択され、アンテナポートの前記Ｋ個のサブセットのｉ番目のサブセットは、Ｎｉ個のアンテナポートを含み、１＜＝ｉ＜＝Ｋであり、全てのＮｉまたは最小のＮｉを除く全てが整数の予め定められたセットに属する。
【００１８】
他の実施形態では、前記送信パターン構成に含まれる前記Ｋ個のリソース構成は、予め定められた順序に従って指示されてもよく、前記予め定められた順序は、アンテナポートの前記Ｋ個のサブセットの各々のサイズに依存する。
【００１９】
一実施形態では、前記Ｋ個のリソース構成の第１のリソース構成は、前記第１のリソース構成の一部を用いることによりアンテナポートの前記Ｋ個のサブセットの１つに対するリソースを示してもよい。
【００２０】
他の実施形態では、前記信号の送信パターン構成を受信することは、無線リソース制御ＲＲＣシグナリングを介して送信パターン構成を受信することを含んでもよい。
【００２１】
いくつかの実施形態では、前記信号は、チャネル状態情報参照信号ＣＳＩ−ＲＳとすることができる。
【００２２】
一実施形態では、前記送信パターン構成は、前記Ｋ個のリソース構成が適用される物理リソースブロックＰＲＢのセットの指示（indication：インジケーション）または前記Ｋ個のリソース構成の各々に対して、対応するリソース構成が適用される物理リソースブロックＰＲＢのセットを示す物理リソースブロックＰＲＢの前記セットの指示（indication：インジケーション）を含んでもよい。
【００２３】
他の実施形態では、前記送信パターンは、前記Ｋ個のリソース構成が適用されるサブフレームのセットの指示（indication：インジケーション）、または前記Ｋ個のリソース構成の各々に対して、対応するリソース構成が適用されるサブフレームの前記セットを示すサブフレームのセットの指示（indication：インジケーション）をさらに含んでもよい。実施形態では、指示されるサブフレームの第１のセットは、時分割複信ＴＤＤシステムのスペシャルサブフレームを含み、サブフレームの前記第１のセットにおいて適用される前記Ｋ個のリソース構成の第１のリソース構成は、ＴＤＤスペシャルサブフレーム固有のリソース構成を示す。他の実施形態では、前記ＴＤＤスペシャルサブフレーム固有のリソース構成は、プライマリ同期信号ＰＳＳ、セカンダリ同期信号ＳＳＳ、システム情報ブロック１、ページング情報および物理ブロードチャネルＰＢＣＨのためのリソースと衝突しないリソースを示す。
【００２４】
さらに他の実施形態では、前記送信パターン構成は、前記Ｋ個のリソース構成が適用される前記無線システムのサブバンドの指示（indication：インジケーション）、または前記Ｋ個のリソース構成の各々に対して、対応するリソース構成が適用される前記無線システムの前記サブバンドを示す前記無線システムのサブバンドの指示（indication：インジケーション）をさらに含んでもよい。
【００２５】
第３の態様では、無線システムにおいて送信パターンを構成するための装置を提供する。本装置は、前記送信パターンに使用されるアンテナポート数を指示するアンテナポート指示モジュールと、各リソース構成が前記アンテナポート数のセットを形成するアンテナポートのＫ個のサブセットの１つのリソースを示す、Ｋ個のリソース構成を指示することによりアンテナポート数に対する送信リソースを構成するリソース構成モジュールと、を備える。
【００２６】
本開示の第４の態様では、無線システムにおいて信号検出のための装置を提供する。本装置は、前記信号に対する送信パターン構成を受信する受信モジュールと、前記受信した送信パターン構成に従って前記信号を検出する検出モジュールと、を備え、前記送信パターン構成は、前記信号送信に使用されるアンテナポート数を示す指示（indication：インジケーション）と、各リソース構成が、前記アンテナポート数のセットを形成するアンテナポートのＫ個のサブセットの１つに対するリソースを示すＫ個のリソース構成と、を含む。
【００２７】
本開示の第５の態様では、無線システムにおいて送信パターン構成のための装置を提供する。本装置は、プロセッサとメモリとを含み、前記メモリは、前記プロセッサによって実行可能な命令を含み、前記装置は、本開示の第１の態様にかかる任意の方法を実行するように動作する。
【００２８】
本開示の第６の態様では、無線システムにおける送信パターン構成のための装置を提供する。本装置は、プロセッサとメモリとを含み、前記メモリは前記プロセッサによって実行可能な命令を含み、前記装置は、本開示の第２の態様にかかる任意の方法を実行するように動作する。
【００２９】
上述した様々な態様および実施形態によれば、多数のアンテナポートに対するリソースを構成するために、少数のアンテナポートに対するリソース構成パターンを再利用することにより、多数のアンテナポートに対する送信パターン設計（transmission pattern design）を簡略化し、送信パターン構成を柔軟（フレキシブル）にすることができる。
【図面の簡単な説明】
【００３０】
本開示の様々な実施形態の上記および他の態様、特徴、および利点は、例として、添付の図面を参照して以下の詳細な説明から一層完全に明らかになるであろう。類似の参照番号または文字は同様のまたは同等の要素を示すために使用される。図面は、本開示の実施形態をより良く理解するためのものであり、必ずしも縮尺通りに描かれていない。
【００３１】
【図１】図１は、本発明の実施形態が実装される例示的な無線システムを示す図である。
【００３２】
【図２】図２は、本開示の実施形態にかかる信号送信パターン構成のための方法の例示的なフローチャートを示す。
【００３３】
【図３Ａ】図３Ａは、１つの物理リソースブロックペア内の１５個のアンテナポートＣＳＩ−ＲＳリソース構成の例を示す。
【００３４】
【図３Ｂ】図３Ｂは、１つの物理リソースブロックペア内の１４個のアンテナポートＣＳＩ−ＲＳリソース構成の例を示す。
【００３５】
【図４Ａ】図４Ａは、時分割複信ＴＤＤスペシャルサブフレーム固有のリソース構成の例を示す。
【図４Ｂ】図４Ｂは、時分割複信ＴＤＤスペシャルサブフレーム固有のリソース構成の例を示す。
【図４Ｃ】図４Ｃは、時分割複信ＴＤＤスペシャルサブフレーム固有のリソース構成の例を示す。
【図４Ｄ】図４Ｄは、時分割複信ＴＤＤスペシャルサブフレーム固有のリソース構成の例を示す。
【図４Ｅ】図４Ｅは、時分割複信ＴＤＤスペシャルサブフレーム固有のリソース構成の例を示す。
【図４Ｆ】図４Ｆは、時分割複信ＴＤＤスペシャルサブフレーム固有のリソース構成の例を示す。
【図４Ｇ】図４Ｇは、時分割複信ＴＤＤスペシャルサブフレーム固有のリソース構成の例を示す。
【図４Ｈ】図４Ｈは、時分割複信ＴＤＤスペシャルサブフレーム固有のリソース構成の例を示す。
【図４Ｉ】図４Ｉは、時分割複信ＴＤＤスペシャルサブフレーム固有のリソース構成の例を示す。
【図４Ｊ】図４Ｊは、時分割複信ＴＤＤスペシャルサブフレーム固有のリソース構成の例を示す。
【図４Ｋ】図４Ｋは、時分割複信ＴＤＤスペシャルサブフレーム固有のリソース構成の例を示す。
【図４Ｌ】図４Ｌは、時分割複信ＴＤＤスペシャルサブフレーム固有のリソース構成の例を示す。
【図４Ｍ】図４Ｍは、時分割複信ＴＤＤスペシャルサブフレーム固有のリソース構成の例を示す。
【００３６】
【図５Ａ】図５Ａは、本開示の複数の実施形態にかかる、システム帯域幅のサブバンド（subband）におけるＣＲＳリソース構成の例を示す。
【図５Ｂ】図５Ｂは、本開示の複数の実施形態にかかる、システム帯域幅のサブバンド（subband）におけるＣＲＳリソース構成の例を示す。
【図５Ｃ】図５Ｃは、本開示の複数の実施形態にかかる、システム帯域幅のサブバンド（subband）におけるＣＲＳリソース設定の例を示す。
【図５Ｄ】図５Ｄは、本開示の複数の実施形態にかかる、システム帯域幅のサブバンド（subband）におけるＣＲＳリソース構成の例を示す。
【００３７】
【図６】図６は、無線システムにおいてユーザ装置における方法６００のフローチャートを示す。
【００３８】
【図７】図７は、本開示の実施形態にかかる送信パターンを構成するための無線システムにおける装置の概略ブロック図を示す。
【００３９】
【図８】図８は、本開示の実施形態にかかる、図７に示す装置と通信する装置の概略ブロック図を示す。
【００４０】
【図９】図９は、本開示の実施形態を実施する際使用される好適な装置の簡略化されたブロック図を示す。
【発明を実施するための形態】
【００４１】
以降、本開示の原理および思想（精神）は、実施形態を参照して説明される。これらの実施形態の全ては、当業者が本開示をより良く理解し、本開示を実施するために与えられており、本開示の範囲を限定するものではないことは理解されるべきである。例えば、一実施形態の一部として図示または説明された特徴は、さらなる実施形態を生じるために、他の実施形態と共に用いられても良い。明確化のために、実際の実装のすべての特徴が本明細書に記載されているわけではない。
【００４２】
本明細書における「一実施形態」、「実施形態」、「例示的実施形態」などの言及は、記載された実施形態が特定の特徴、構造、または特性を含んでもよいことを示すが、各実施形態が特定の特徴、構造、または特性を必ずしも含まなくてもよいことを示す。さらに、そのような表現は必ずしも同一の実施形態を指しているわけではない。さらに、特定の特徴、構造、または特性が実施形態に関連して記載されている場合、明示的に記載されているか否かにかかわらず、他の実施形態と関連して、そのような特徴、構造、または特性に影響を及ぼすことは、当業者の知識に関連すると言える。
【００４３】
「第１（first）」および「第２（second）」などの用語は、本明細書において様々な要素を説明するために使用され得るが、これらの要素はこれらの用語によって限定されるべきではないことは理解される。これらの用語は、ある要素を他の要素と区別するためにのみ使用される。例示的な実施形態の範囲から逸脱することなく、例えば、第１の要素は、第２の要素と称することができ、同様に、第２の要素は第１の要素と称することができる。本明細書で使用される場合、「および／または」という用語は、関連する列挙された用語の１つまたは複数の任意の組み合わせおよび全ての組み合わせを含む。
【００４４】
本明細書で使用される用語は、特定の実施形態を説明するためのものであり、実施形態を限定するものではない。本明細書で使用されるように、本明細書に使用されるように、文脈が明らかに他を示さない限り、単数形（「ａ」、「ａｎ」、「ｔｈｅ」）は、複数形を含むことを意図している。「備える（comprises）」、「備えている（comprising）」、「有する（has）」、「有している（having）」、「含む（includes）」および／または「含んでいる（including）」という用語が本明細書に使用されるとき、述べられた特徴、要素、および／またはコンポーネントなどの存在を特定する、１つ以上の他の特徴、要素、コンポーネント、および／またはそれらの組み合わせの存在または追加を排除するものではない。
【００４５】
以下の説明および特許請求の範囲において、他に定義されていない限り、本明細書中で使用される全ての技術用語および科学用語は、本開示が属する技術分野の当業者によって一般に理解されるものと同じ意味を有する。例えば、本明細書で使用される端末装置（terminal device）という用語は、無線通信機能を有する任意の端末またはユーザ装置（ＵＥ：user equipment）を指してもよく、携帯電話（モバイルフォン）、携帯電話（セルラフォン）、スマートフォン、またはパーソナルデジタルアシスタント（ＰＤＡ：personal digital assistant）、ポータブルコンピュータ、デジタルカメラの様な画像キャプチャ装置、ゲーム装置、音楽記憶機器および音楽再生機器、ウェアラブル装置、および無線通信機能を有する任意のポータブルユニットまたは端末、または無線インターネットアクセスおよびブラウジングを可能にするインターネット機器などを含むがこれに限定されない。同様に、本明細書で使用される基地局という用語は、使用される技術および用語に応じて、例えば、ｅＮＢ、ｅＮｏｄｅＢ、ＮｏｄｅＢ、ＢＴＳ（Base Transceiver Station）、またはアクセスポイント（ＡＰ：Access Point）と称してもよい。
【００４６】
以下の様々な実施形態の説明は、本開示の原理および概念を説明することを目的とする。説明の目的のために、本開示のいくつかの実施形態は、３ＧＰＰ  ＬＴＥシステムにおけるＣＳＩ−ＲＳ構成（configuration）および検出（detection）の文脈として説明する。しかしながら、当業者であれば、本開示のいくつかの実施形態は、任意の他の無線システムにおいて、任意の他の信号構成および検出に一般的に適用することが出来ることは理解するであろう。
【００４７】
図１には、本発明の実施形態を実装することができる例示的な無線システム１００が示されている。無線システム１００は、例えば、ネットワークノード１０１などの１つ以上のネットワークノードを含む。なお、ここではネットワークノードは、ｅｖｏｌｖｅｄ  Ｎｏｄｅ  Ｂ（eNode BまたはeNBとしても知られる）の形態とする。ネットワークノード１０１は、Ｎｏｄｅ  Ｂ、ＢＴＳ（Base Transceiver Station）、ＢＳ（Base Station）、および／またはＢＳＳ（Base Station Subsystem）などの形態であってもよいことは理解される。ネットワークノード１０１は、マクロセルまたはスモールセルを提供し、例えば、ＵＥ１０２〜１０４などの複数のＵＥに無線接続を提供してもよい。ＵＥは、ポータブルまたは固定される任意の無線通信デバイスとすることができる。さらに、ＵＥ１０２〜１０４は、必ずしもそうである必要はないが、特定のエンドユーザに関連付けられてもよい。説明のために、無線システム１００は、３ＧＰＰ  ＬＴＥネットワークであるものとして記載をするが、本開示の実施形態は、このようなネットワークシナリオに限られず、提案する方法および装置は、例えば、以降に説明する原理が適用可能である非セルラネットワークなどの他の無線ネットワークに適用することが出来る。
【００４８】
一実施形態では、例えば、ｅＮＢ１０１などのネットワークノードは、ＵＥ（例えば、ＵＥ１０２）側でチャネル推定を容易にするために、複数のアンテナポートからＣＳＩ−ＲＳを送信してもよい。現在のＬＴＥシステム、例えば、ＬＴＥリリース１０では、ＣＳＩ−ＲＳ送信のために最大８つのアンテナポートが許容される。既存のＣＳＩ−ＲＳ送信は、表１に示すパラメータを使用して構成することができ、パラメータの詳細は、3GPP TS 36.331、V10.7.0 「Evolved Universal Terrestrial Radio Access (E-UTRA); Radio Resource Control (RRC) protocol specification」のセクション６．３．２に記載されている。
【表１】
0006620820.tif 000002
【００４９】
さらに、現在のＬＴＥシステムにおいて、例えば、3GPP TS 36.211, V10.7.0, 「Evolved Universal Terrestrial Radio Access (E-UTRA); Physical channels and modulation」のセクション６．１０．５には、以下ではＣＳＩ−ＲＳが送信されないことが規定されている
【００５０】
‐フレーム構造タイプ２（すなわち、ＴＤＤフレーム）の場合、ダウンリンクパイロットタイムスロット（ＤｗＰＴＳ（ｓ）：Downlink Pilot Time Slot(s)）。ＤｗＰＴＳは、ＴＤＤシステムのスペシャルサブフレーム（special subframe）におけるダウンリンクに使用される部分である；
【００５１】
‐ＣＳＩ−ＲＳの送信がSystemInformationBlockType1メッセージと衝突するサブフレーム；
【００５２】
‐プライマリセルでは、セル特有のページング構成を有する任意のＵＥのためのプライマリセル内のページングメッセージの送信のために構成されたサブフレーム。
【００５３】
より複雑なＭＩＭＯ動作、例えば、２Ｄアンテナアレイを有する３次元ＭＩＭＯ（３Ｄ−ＭＩＭＯ）をサポートするために、ＣＳＩ−ＲＳは、８つ以上のアンテナポートから送信される必要があり得る。そのため、新しいＣＳＩ−ＲＳ構成が設計される必要がある。本発明の実施形態の１つの目的は、アンテナポートの柔軟（フレキシブル）な数に対するＣＳＩ−ＲＳ構成（CSI-RS configuration）を提供することである。
【００５４】
図２は、本開示の実施形態にかかる信号送信パターン構成のための方法２００の例示的なフローチャートを示す。信号は、ＣＳＩ−ＲＳとすることができるが、これに限定されないことは理解できるであろう。実際、方法２００は、類似する問題を解決するために任意の適切な信号の送信パターン構成に適用されてもよい。方法２００は、基地局、例えば、図１に示す、ｅＮＢ１０１により実行することができるが、本開示はこれに限定されるものではない。方法２００は、任意の他の適切な装置により実行されてもよい。
【００５５】
図２に示すように、ブロック２０１において、基地局は、送信パターンに使用されるアンテナポート数を指示する（indicate）；ブロック２０２において、基地局は、各リソース構成（resource configuration）がアンテナポートのＫ個のサブセットの１つのリソースを示す、Ｋ個のリソース構成を指示することによりアンテナポート数に対する送信リソース（transmission resource）を構成し、Ｋ＞１であり、アンテナポートのＫ個のサブセットは、アンテナポートの指示された数のセット（set）を形成する。
【００５６】
一実施形態では、ブロック２０１において、基地局は、表２に示すようにパラメータantennaPortsCountを使用してアンテナポート数を指示してもよい。パラメータantennaPortsCountは、例えば、｛１,２,３,４,５,…,Ｍ｝または｛１,２,４,６,８,１０,…, Ｍ｝または｛１,２,４,８,１６,…,Ｍ｝のような、予め定められたセットから値Ｎを指示してもよい。アンテナポートの最大数Ｍは、予め定められていてもよく、または固定であってもよい。他の実施形態では、基地局は、予め定められたセットにおいて、値Ｎのインデックスを指示してもよい。本開示の実施形態は、アンテナポート数Ｎを指示する任意の特定の方法に限定されないことは理解されるべきである。
【００５７】
他の実施形態では、ブロック２０２において、指示されたＫ個のリソース構成は、表２に示すようにＫ個のresourceConfigシグナリングとすることができ、各resourceConfigはＮ個のアンテナポートのサブセットに対するリソースを示す。
【表２】
0006620820.tif 000003
【００５８】
一実施形態では、ブロック２０１において、基地局が、ＣＳＩ−ＲＳ送信に使用されるＮ＝１０個のアンテナポートを指示すると仮定する。Ｎ＝１０個のアンテナポートは、サブセット１においてＮ１＝８個のアンテナポート、サブセット２においてＮ２＝２個のアンテナポートを有する、Ｋ＝２個のアンテナポートのサブセットにグループ化されてもよい。他の例示的な実施形態では、ブロック２０１において、Ｎ＝１４が指示されると仮定すると、Ｎ＝１４個のアンテナポートは、サブセット１においてＮ１＝８個のアンテナポート、サブセットにおいてＮ２＝４個のアンテナポート、サブセット３においてＮ３＝２個のアンテナポートを有する、Ｋ＝３個のサブセットにグループ化されてもよい。他の例として、Ｋ個のサブセットは、Ｎ１＝４個のアンテナポートを有するサブセット１、Ｎ２＝２個のアンテナポートを有するサブセット２とすることができ、Ｋ＝２個のサブセットは、Ｎ＝６個のアンテナポートのセットを形成する。Ｎの数およびＫ個のサブセットへの分割のさらなる例は、表３Ａにおいて見出すことができる。一実施形態では、Ｎ＝１、２、４または８個のアンテナポートが送信パターンに使用されるとき、表１に示す既存のリソース構成シグナリング（resource configuration signaling）を使用することができ、Ｎの他の値について、Ｎ個のアンテナポートは、表３Ａに示すように、２または３のサブセットに分割することが出来る。他の実施形態では、Ｎ＝２、４および８であっても、Ｎ個のアンテナポートは、Ｋ＞１個のサブセットに分割することが出来る。本開示の実施形態は、表３Ａに示す特定の分割に限定されないことは理解することが出来る。
【表３Ａ】
0006620820.tif 000004
【００５９】
アンテナポートのｉ番目のサブセットにおいて、Ｎｉ個のアンテナポートが存在すると仮定すると、１＜＝ｉ＜＝Ｋである。一実施形態では、Ｋ Ｎｉのそれぞれは、整数の予め定められたセットに属する。例えば、各Ｎｉは、これに限られないが、現在のＬＴＥシステムによりサポートされたＣＳＩ−ＲＳアンテナポート数である、｛１，２，４，８｝の１つとすることができる。他の実施形態では、最小のＮｉを除いた全てが整数の予め定められたセットに属する。例えば、Ｎ＝１１個のアンテナポートがブロック２０１で指示されると、Ｎ＝１１個のアンテナポートは、第１のサブセットにおいてＮ１＝８個のアンテナポート、第２のサブセットにおいてＮ２＝３個のアンテナポートを有する２つのサブセットにグループ化することができる。Ｎ１＝８は、｛１，２，４，８｝のセットに属する一方、最小のＮｉ、つまりＮ２＝３は、｛１，２，４，８｝のセットに属さない。さらに他の実施形態では、ＮｉはＮよりも小さいか、または等しい任意の数であってもよい。
【００６０】
ブロック２０２において、基地局は、アンテナポートの各サブセット、つまり、各Ｎｉ個のアンテナポートに対するリソース構成を指示することにより、Ｎ個のアンテナポートに対するリソースを構成してもよい。一例を表２に示すと、アンテナポートの各サブセットについて、この目的のために、resourceConfigと言われるフィールドが使用される。すなわち、一実施形態では、表３Ａに示すアンテナポートのＫ個のサブセットのそれぞれに対するリソースは、それぞれ、表２に示すようにresourceConfigシグナリングを用いて示されてもよい指示されてもよい。上記リソース指示（resource indication：リソースインジケーション）のいくつかの例は、表３Ｂにおいて見出すことができる。これは、多数のアンテナポート（つまり、Ｎ）に対するリソースを構成するために、少数のアンテナポート（つまり、Ｎｉ）に対するリソース構成を用いることを許容し、それにより、アンテナポートの特定の数に対するリソース構成の設計（resource configuration design）を回避することを許容する。
【表３Ｂ】
0006620820.tif 000005
【００６１】
一実施形態では、ブロック２０２で指示されるＫ個のリソース構成のそれぞれは、構成の予め定められたセットから選択された構成であってもよい。例えば、構成の予め定められたセットは、これに限られないが、表４に示すように、現在のＬＴＥリリース１０における１、２、４または８個のアンテナポートに対する（例えば、表４における０から３１で示される）既存のリソース構成のセットとすることが出来る。
【表４】
0006620820.tif 000006
【００６２】
表２に示すようなＫ個のリソース構成は、例えば、表２に示すＫ個のresourceConfigのどれを最初に指示すべきかを決定する、予め定められた順序に従って指示されてもよい。予め定められた順序は、一実施形態では、Ｋ個のサブセットの各々のサイズ（size）に依存してもよい。例えば、大きなサイズを有するアンテナポートのサブセット（つまり、より多くのアンテナポートを有するサブセット）に対するリソース構成が最初に指示される。すなわち、Ｎ＝１０個のアンテナポートに対するリソースは、Ｎ１＝８個のアンテナポートのサブセットに対するリソース構成を指示し、続いてＮ２＝２個のアンテナポートのサブセットに対するリソース構成を指示するように構成されてもよい。本開示の実施形態は、順序が送信機と受信機の両方に知られている限り、任意の特定の指示順序（indication order）に限定されないことは理解することができる。例えば、他の実施形態では、Ｎ２＝２個のアンテナポートのサブセットに対するresourceConfigが最初に指示され、続いてＮ１＝８個のアンテナポートのサブセットに対するresourceConfigが指示されてもよい。
【００６３】
一実施形態では、ブロック２０２において、基地局は、Ｋ個のサブセットの１つに対するリソースを指示するためにＫ個のリソース構成の１つの一部を使用することにより、Ｎ個のアンテナポートに対する送信リソースを構成してもよい。一例を表３Ｂに示す。表３Ｂに示すように、Ｎ＝１５個のアンテナポートに対するリソースは、８個のアンテナポートに対するリソースと、７個のアンテナポートに対するリソースとを指示することにより構成することができ、７個のアンテナポートに対するリソースは、既存のリソース構成パターンを再利用し、７個のアンテナポートの新しい構成を導入することを避けるために、８個のアンテナポートに対するリソース構成の一部（つまり、７ポート）を使用することにより指示することができる。１つの物理リソースブロック（ＰＲＢ：physical resource block）ペア内の１５個のＣＳＩ−ＲＳアンテナポートに対するリソース割当ての一例を、図３Ａに概略的に示す。図３Ａは、ＬＴＥのノーマルサイクリックプレフィックス（ＣＰ：cyclic prefix）構成を想定する。７ポートＣＳＩ−ＲＳに対するリソースを加えた８ポートＣＳＩ−ＲＳに対するリソースは、１５ポートＣＳＩ−ＲＳに対するリソースを形成し、７ポートＣＳＩ−ＲＳに対するリソースは、８ポートＣＳＩ−ＲＳに対するリソース構成の一部である。図３Ａに示すように、１５ポートＣＳＩ−ＲＳのこれらのリソースは、セル固有のＲＳ（ＣＲＳ：cell-specific RS）復調ＲＳ（ＤＭＲＳ：demodulation RS）に対するリソースエレメント（ＲＥ：resource element）、アンテナポート１５−２２に対する既存ＣＳＩ−ＲＳ、物理ダウンリンク制御チャネル（physical downlink control channel）およびダウンリンクデータと直交している。１５ＣＲＳ−ＲＳアンテナポートに対する同一リソース割り当て（resource allocation）は、全システム帯域幅における全てのＰＲＢペアに適用されてもよい。
【００６４】
表３Ｂに示すように、Ｎ＝７、１１、１３および１４個のアンテナポートについて、リソースは、Ｋ＝３個のリソース構成を指示することにより構成することができる。しかし、一実施形態では、Ｎ＝７、１１、１３および１４個のアンテナポートに対するリソースは、構成シグナリング（configuration signaling）を確保する（save）ために、上記例ではＮ＝１５個の場合と同様に、２つのリソース構成のみを指示することにより構成されてもよい。例えば、Ｎ＝１４個のアンテナポートは、表５Ａに示すように、Ｎ１＝８個およびＮ２＝６個を有する２つのサブセットに分割されてもよい。
【００６５】
他の実施形態では、表５Ｂに示すように、Ｎ＝１４個のアンテナポートのセットを形成する２つのサブセットに対するリソースは、resourceConfigを介して指示されてもよく、Ｎ２＝６個のアンテナポートのリソースは、８個のアンテナポートに対するリソース構成の一部（すなわち、６ポート）を使用することにより構成することができる。１つのＰＲＢペア内の１４個のＣＳＩ−ＲＳアンテナポートのためのリソース割当の一例は、図３Ｂに概略的に示されている。図３Ｂでは、ＬＴＥのノーマルＣＰ構成が想定されている。８ポートＣＳＩ−ＲＳのリソースと６ポートＣＳＩ−ＲＳのリソースとは、１４ポートＣＳＩ−ＲＳのリソースを形成し、６ポートＣＳＩ−ＲＳのリソースは、８ポートＣＳＩ−ＲＳのリソース構成の一部である。同様に、図３Ｂのように同じリソース構成は、システム帯域幅内の全てのＰＲＢペアに適用されてもよい。サブセットの最大数に制限を設けることにより、リソース構成に対するシグナリングオーバヘッドが低減され得る。最大２つのリソース構成を使用してＮ＜＝１６個のアンテナポートに対するリソースを構成するさらなる例は、表５Ｂに見出すことができる。
【表５Ａ】
0006620820.tif 000007
【表５Ｂ】
0006620820.tif 000008
【００６６】
一実施形態では、ブロック２０１において、送信パターンに使用されるアンテナポート数は、無線リソース制御（ＲＲＣ：radio resource control）シグナリングを介して指示されてもよい；ブロック２０２において、Ｋ個のリソース構成は、同一のＲＲＣシグナリングを介して指示されてもよい。例えば、表２に示すantennaPortsCountおよびＫ個のresourceConfigの情報フィールドは、単一のＲＲＣシグナリングにおいてＵＥに送信することができる。指示（indication：インジケーション）は、他の適切なシグナリングのいずれかを介して送信することができることは理解することができるであろう。
【００６７】
いくつかの実施形態では、方法２００は、ＣＳＩ−ＲＳ送信パターン構成に使用することができるが、任意の適切な信号の送信パターン構成に対して、方法２００を他の使用例に広く適用することができることは理解することができるであろう。
【００６８】
一実施形態では、追加的または代替的に、方法２００は、ブロック２０３を含んでもよく、そこにおいて、基地局は、Ｋ個のリソース構成が適用される物理リソースブロック（ＰＲＢ：physical resource block）のセットを指示する。すなわち、図３Ａまたは図３Ｂに示すようなＫ個のリソース構成は、全てのＰＲＢペアには存在せず、指示されたＰＲＢのセットにのみ適用される。表６Ａに一例を示すと、情報フィールドPRBConfigは、ＰＲＢのセットを指示するために使用される。一実施形態において、ＰＲＢの指示されたセットは、くし状の（comb-like）ＰＲＢパターンとすることができる。すなわち、Ｌ個のＰＲＢ毎にＣＳＩ−ＲＳに使用される１つのＰＲＢが存在し、Ｌは１より大きい整数である。異なるＵＥは、ＣＳＩ−ＲＳ送信のために、異なるリソース構成および異なるくし状のＰＲＢパターンで構成することができる。追加のシグナリングビットは、周波数領域（frequency domain）においてＰＲＢのくし状パターン（comb-pattern：コームパターン）を示すために必要であってもよい。あるいは、ＰＲＢの指示されたセットは、例えば、いくつかの連続したＰＲＢであってもよく、または連続する奇数／偶数のＰＲＢであってもよい。
【表６Ａ】
0006620820.tif 000009
【００６９】
他の実施形態では、ブロック２０３において、表６Ｂに示すように、基地局は、Ｋ個のリソース構成の各々に対してＰＲＢのセットを示してもよい。すなわち、Ｋ個のリソース構成の各々は、信号（例えば、ＣＳＩ−ＲＳ）送信パターン構成に対して、より柔軟性を提供する異なるＰＲＢセットに適用されてもよい。
【表６Ｂ】
0006620820.tif 000010
【００７０】
ブロック２０３は、ブロック２０２の有無にかかわらず適用されてもよいことは理解することができる。すなわち、一実施形態では、Ｎ個のアンテナポートがサブセットにグループ化されず、Ｎ個のアンテナポートに対するリソースが、例えば、表１に示すように、１つのリソース構成のみを用いて示される場合でさえ、基地局は、Ｎ個のアンテナポートに対するリソース構成がどのＰＲＢに適用されるかを指示するために、ＰＲＢセットを構成することができる。すなわち、PRBConfigフィールドを表１に追加することにより、リソース構成の柔軟性を向上させることができる。
【００７１】
追加的または代替的に、一実施形態では、方法２００は、ブロック２０４を含んでもよく、そこにおいて、基地局はＫ＞＝１個のリソース構成が適用されるサブフレームのセットを指示してもよい。表７Ａに一例を示すと、この目的のために情報フィールドsubframeConfigが使用される。他の実施形態では、ブロック２０４において、表７Ｂに示すように、基地局は、Ｋ＞１個のリソース構成の各々に対するサブフレームのセットを示してもよい。すなわち、Ｋ個のリソース構成の各々は、異なるサブフレームセットに適用されてもよく、Ｎ個のアンテナポートに対する全リソース構成は、複数のサブフレームに広がる。このようにして、リソース構成の柔軟性はさらに向上する。
【表７Ａ】
0006620820.tif 000011
【表７Ｂ】
0006620820.tif 000012
【００７２】
一実施形態では、Ｋ個のリソース構成の１つまたは全てについて、ブロック２０４で指示されるサブフレームのセットは、ＴＤＤシステムのスペシャルサブフレームを含んでもよい。すなわち、方法２００を使用することにより、スペシャルサブフレームにおいてＣＳＩ−ＲＳ送信が許容されてもよい。例えば、アンテナポートのｉ番目のサブセットのリソースは、スペシャルサブフレームにおいて構成されてもよく、一方、他のアンテナポートサブセットのリソースはノーマルサブフレームで構成されてもよい。他の例示的な実施形態では、アンテナポートの１つのサブセットに対するリソースは最初のスペシャルサブフレームにおいて構成されてもよく、一方、他のアンテナポートサブセットに対するリソースは、他のスペシャルサブフレームにおいて構成されてもよい。これらの場合において、ＣＳＩ−ＲＳは、１つ以上のスペシャルサブフレームのＤｗＰＴＳ部分において送信されてもよい。このようなリソース構成は、例えば、スペシャルサブフレームにおいて、９、１０、１１または１２のダウンリンクシンボルを提供するＴＤＤスペシャルサブフレーム構成１、２、３、４、６、７、８のような、ＬＴＥで定義される特定のＴＤＤスペシャルサブフレーム構成にそれぞれ適用可能であってもよい。
【００７３】
スペシャルサブフレームは、ノーマルサブフレーム（normal subframe）よりもＤＬシンボルが少ないため、スペシャルサブフレームに適用されるリソース構成は、ＴＤＤスペシャルサブフレーム固有のリソース構成であってもよい。現在のＬＴＥ標準では、表４に示すように、（表４の０〜３１で示す）３２個のリソース構成が、ノーマルサブフレームに対して予め定義されている。本開示の一実施形態では、追加のＴＤＤスペシャルサブフレーム固有のリソース構成をその上に導入することができる。表８に一例を示すと、resourceConfigがＮ＿ＴＤＤ＋１の候補（０，１，．．．，Ｎ＿ＴＤＤ）から１つのリソース構成パターンを示してもよい。一実施形態では、いくつかのＴＤＤスペシャルサブフレーム固有の構成が元の０〜３１の構成の上に追加されることから、Ｎ＿ＴＤＤの値は、３１よりも大きくなる。他の実施形態では、Ｎ＿ＴＤＤ＋１候補は、新たに導入された全てのＴＤＤスペシャルサブフレーム固有の構成である。
【表８】
0006620820.tif 000013
【００７４】
上述したように、基地局は、Ｎ個のアンテナポートのリソースを構成するために、Ｋ＞１個のリソース構成を指示することができる。一実施形態では、Ｋ個のリソース構成のいくつかまたは全ては、Ｎ＿ＴＤＤ＋１個の候補からリソースパターンを示すことができる。
【００７５】
一実施形態では、導入されたＴＤＤスペシャルサブフレーム固有のリソース構成は、プライマリ同期信号（ＰＳＳ：primary synchronization signal）、セカンダリ同期信号（ＳＳＳ：secondary synchronization signal）、ページング情報、システム情報ブロック１（ＳＩＢ１：system information block 1）および物理ブロードキャストチャネル（ＰＢＣＨ：physical broadcast channel）に対するリソースと衝突しないリソースを示してもよい。セル固有のＲＳ（ＣＲＳ：cell-specific RS）、復調ＲＳ（ＤＭＲＳ：demodulation RS）との衝突も避けるべきである。ＴＤＤスペシャルサブフレーム固有のリソース構成のいくつかの例を図４Ａ〜図４Ｍに概略的に示しており、図４Ｍは、図４Ａ〜４Ｌに適用される凡例を示す。図４Ａ〜４Ｃは、ＤｗＰＴＳにおいて、１１または１２  ＯＦＤＭシンボルを有するＴＤＤスペシャルサブフレームにおける１または２、４、８アンテナポートの各々に対するリソース構成の例である。特に、図４Ａは、１６個の１ポートまたは２ポートのＣＳＩ−ＲＳリソース構成パターンを示している（図においては３２〜４７として示す）。図４Ｂは、８個の４ポートＣＳＩ−ＲＳリソース構成パターンを示している（図においては３２〜３５、４０〜４３として示す）。図４Ｃは、４個の８ポートＣＳＩ−ＲＳリソース構成パターンを示している（図においては３２〜３５として示す）。図４Ｄ〜４Ｆは、ＤｗＰＴＳにおいて、９または１０  ＯＦＤＭシンボルを有するＴＤＤスペシャルサブフレームにける１または２、４、８アンテナポート各々に対するリソース構成の例である。図４Ｇ〜４Ｉは、ＤｗＰＴＳにおいて１１または１２  ＯＦＤＭシンボルを有するＴＤＤスペシャルサブフレームにおける１または２、４，８アンテナポートに対して中央の６ＰＲＢに属さないＰＲＢにおけるリソース構成の例であり、図４Ｋ〜４Ｌは、ＤｗＰＴＳにおいて、９または１０  ＯＦＤＭシンボルを有するＴＤＤスペシャルサブフレームにおける１または２、４，８アンテナポート各々に対して中央６ＰＲＢに属さないＰＲＢにおけるリソース構成の例を提供する。中央の６ＰＲＢに属さないＰＲＢでは、ＰＳＳ／ＳＳＳ送信のためのリソース予約がされておらず、このように、より多くのリソースがＣＳＩ−ＲＳ送信のために利用可能であるため、図４Ｇ〜４Ｌの例では、図４Ａ〜４Ｆのものと比較して、より多くのリソース構成パターンを提供することができる。
【００７６】
追加的または代替的に、一実施形態では、方法２００は、ブロック２０５を含んでもよく、そこにおいて、基地局は、Ｋ個のリソース構成が適用される無線システムのサブバンドを指示する。他の実施形態では、基地局は、ブロック２０５において、Ｋ個のリソース構成の各々に対して無線システムのサブバンドを指示してもよい。図５Ａ〜図５Ｄに示すように、本システムの周波数リソースは、それぞれ、例えば、中央の６ＰＲＢ、アッパーハーフバンド（Upper half band）およびローアーハーフバンド（lower half band）とすることができる３つのサブバンドのように、複数のサブバンドに分割することができる。図５Ａに示すように、ＴＤＤスペシャルサブフレーム構成０の場合、サブフレーム（ＳＦ）０では、中央の６ＰＲＢおよびローアーハーフバンドにおいて、アンテナポートのサブセットからＣＳＩ−ＲＳ送信のためのリソースが存在することができ、ＳＦ１では、アッパーハーフバンドにおいて、アンテナポートの同一または異なるサブセットからＣＳＩ−ＲＳ送信のためのリソースが存在することができる。また、図５Ｂに示すように、サブフレーム（ＳＦ）０では、中央の６ＰＲＢおよびアッパーハーフバンドにおいて、アンテナポートのサブセットからＣＳＩ−ＲＳ送信のためのリソースが存在することができ、ＳＦ１では、ローアーハーフバンドにおいて、アンテナポートの同一または異なるサブセットからＣＳＩ−ＲＳ送信のためのリソースが存在することができる。図５Ｃの例において、アンテナポートのサブセットからＣＳＩ−ＲＳのためのリソースは、ＳＦ０では、ローアーハーフバンドにおいて構成することができ、アンテナポートの同一または異なるサブセットからＣＳＩ−ＲＳのためのリソースは、ＳＦ１では、中央の６ＰＲＢおよびアッパーハーフバンドにおいて構成することができる。図５Ｄに示す他の例において、アンテナポートのサブセットからＣＳＩ−ＲＳのためのリソースは、ＳＦ０ではアッパーハーフバンドにおいて構成することができ、アンテナポートの同一または異なるサブセットからＣＳＩ−ＲＳのためのリソースは、ＳＦ１では中央の６ＰＲＢおよびローアーハーフバンドにおいて構成することができる。これらの場合では、ページングは、衝突を避けるために、システムのハーフバンドのみにおいてスケジューリングされ得る。また、ブロック２０５において、基地局は、Ｋ個のリソース構成が適用される１または全てのサブバンドを指示してもよい。一例を以下の表９に示すと、そこでは、情報フィールドSubBandConfigは、この目的のために、Ｋ個のリソース構成の全てが適用されるサブバンドを指示するために使用される。他の例示的な実施形態では、基地局は、Ｋ個のリソース構成の各々についてサブバンド指示（subband indication：サブバンドインジケーション）を指示してもよい。さらに、３つのサブバンドが、図５Ａ〜５Ｄの例において図示されているが、実施形態はこれに限定されないことは理解することができるであろう。他の実施形態では、より多くのまたはより少ないサブバンドを定義することができる。
【表９】
0006620820.tif 000014
【００７７】
同様に、ブロック２０５は、ブロック２０２の有無に関わらず適用されてもよいことは理解することができる。すなわち、一実施形態では、Ｎ個のアンテナポートがサブセットにグループ化されず、Ｎ個のアンテナポートに対するリソースが、例えば表１に示すように１つのリソース構成（Ｋ＝１）を用いて指示される場合でさえ、基地局は、サブバンドを構成して、Ｎ個のアンテナポートのリソース構成がどのサブバンドに適用されるかを指示することができる。すなわち、リソース構成の柔軟性は、SubBansConfigフィールドを表１に追加することにより、向上することができる。
【００７８】
ここで、無線システムにおける方法６００のフローチャートを示す図６を参照する。本方法は、例えば、図１に示すＵＥ１０４などのユーザ装置または任意の適切な装置により実装することができる。
【００７９】
図６に示すように、方法６００は、ブロック６０１において、信号の送信パターン構成を受信することと、ブロック６０２において、受信した送信パターン構成に従って信号を検出することとを含み、送信パターン構成は、信号送信に使用されるアンテナポート数およびＫ個のリソース構成を示す指示（indication：インジケーション）を含み、各リソース構成は、アンテナポートのＫ個のサブセットの１つに対するリソースを示し、Ｋ＞１であり、アンテナポートのＫ個のサブセットはアンテナポート数のセット（set）を形成する。
【００８０】
ブロック６０１において受信された送信パターン構成は、一実施形態では、方法２００に従って指示されたものとすることができ、このように、方法２００を参照して説明した送信パターンに関する詳細もここで適用する。送信パターン構成は、ＣＳＩ−ＲＳに使用することができるが、本開示の実施形態はこれに限定されない。
【００８１】
方法２００を参照して説明したように、Ｋ個のリソース構成の各々は、一実施形態では、構成の予め定められたセットから選択され得る。構成の予め定められたセットは、表４に示すように、例えば、ＬＴＥ仕様において定義される既存のリソース構成とすることができる。これにより、方法６００は、少数のアンテナポートのリソース構成を再利用して、多数のアンテナポートのリソース構成を指示することを可能にする。
【００８２】
一実施形態では、Ｋ個のサブセットのｉ番目（１≦ｉ≦Ｋ）のサブセットには、Ｎｉ個アンテナポートが存在し、すべてのＮｉは整数の予め定められたセットに属してもよい。一実施形態では、最小のＮｉを除く全てが整数の予め定められたセットに属してもよい。整数の予め定められたセットは、現在のＬＴＥ仕様によってサポートされるＣＳＩ＿ＲＳ送信のためのアンテナポート数である、例えば、｛１，２，４，８｝であってもよい。本開示の実施形態は、それに限定されないことは理解できるであろう。
【００８３】
一実施形態では、ブロック６０１において、ブロック６０１で受信された送信パターン構成シグナリング（transmission pattern configuration signaling）に含まれるＫ個のリソース構成が、予め定められた順序に従って指示されてもよく、予め定められた順序はアンテナポートのＫ個のサブセットの各々のサイズに依存してもよい。例えば、ブロック６０１において受信されたシグナリングにおいて、アンテナポートのより大きいサブセット（例えば、８アンテナポートのサブセット）に対するリソース構成がまず指示され、そして、アンテナポートの小さなサブセット（例えば、２アンテナポートのサブセット）に対するリソース構成が続いてもよい。
【００８４】
他の実施形態では、Ｋ個のリソース構成の１つは、表５Ｂに示すように、１つのリソース構成の一部を使用することにより、Ｋ個のサブセットの１つのリソースを指示してもよい。すなわち、４つのアンテナポートに対する既存のリソース構成は、１つのポートを未使用のままにすることにより、３つ（またはそれ以下）のアンテナポートに対するリソース構成を指示するために使用されてもよい。このようにして、既存のリソース構成を使用し、アンテナポートの特定の数（例えば、３）に対する新しいリソース構成パターンを導入することを避けることを可能とする。さらに、いくつかの実施形態では、アンテナポートをあまりにも多くのサブセットに分割することを避けてもよい。すなわち、Ｋの数を減らし、したがって、構成シグナリング（configuration signaling）を低減してもよい。
【００８５】
一実施形態では、信号の送信パターン構成は、ブロック６０１においてＲＲＣシグナリングを介して受信されてもよいが、実施形態はこれに限定されない。同様に、受信される送信パターン構成はＣＳＩ−ＲＳに使用されてもよいが、実施形態はこれに限定されない。
【００８６】
一実施形態では、ブロック６０２において受信された送信パターン構成に従って信号を検出することは、送信パターン構成により指示されたリソースにおいて信号を検出することを含む。
【００８７】
追加的または代替的に、一実施形態において、ブロック６０１において受信した送信パターン構成は、Ｋ個のリソース構成が適用されるＰＲＢのセットの指示（indication：インジケーション）を含んでもよい。一例は、表６Ａに見出すことができる。他の実施形態では、ブロック６０１において受信した送信パターン構成は、表６Ｂに示すように、Ｋ個のリソース構成のそれぞれに対するＰＲＢのセットの指示（indication：インジケーション）を含んでもよい。このような実装は、構成に、より柔軟性を提供する。
【００８８】
さらに他の実施形態では、追加的または代替的に、送信パターン構成は、表７Ａに示すように、Ｋ＞＝１個のリソース構成が適用されるサブフレームのセットの指示（indication：インジケーション）を含んでもよい。他の実施形態では、送信パターン構成は、表７Ｂに示すように、Ｋ＞１個のリソース構成の各々に対するサブフレームのセットの指示（indication：インジケーション）を含んでもよい。一実施形態では、指示されるサブフレームのセットは、時分割複信（time division duplex）ＴＤＤシステムのスペシャルサブフレームを含んでもよく、サブフレームのセットに適用されるリソース構成は、ＴＤＤスペシャルサブフレーム固有のリソース構成を示してもよい。ＴＤＤスペシャルサブフレーム固有のリソース構成の例は、図４Ａ〜４Ｌに見出すことができるが、本開示の実施形態では、これに限られない。
【００８９】
一実施形態では、ＴＤＤスペシャルサブフレーム固有のリソース構成は、プライマリ同期信号（primary synchronization signal）ＰＳＳ、セカンダリ同期信号（secondary synchronization signal）ＳＳＳ、システム情報ブロック１（system information block 1）および物理ブロードキャストチャネル（physical broadcast channel）ＰＢＣＨのためのリソースと衝突しないリソースを示す。
【００９０】
他の実施形態では、追加的または代替的に、送信パターン構成は、Ｋ＞＝１個のリソース構成が適用される無線システムのサブバンドの指示（indication：インジケーション）を含んでもよい。例えば、システム帯域幅は、図５Ａ〜５Ｄに示すように、３つのサブセットに分割することができ、受信された送信パターン構成シグナリングは、リソース構成がどのサブバンドに適用されるかを指示する情報フィールドを含んでもよい。これは、信号（例えば、ＣＳＩ−ＲＳ）の送信を特定のサブバンドに制限することを可能にし、それによってオーバーヘッドを低減する。他の実施形態では、送信パターン構成は、Ｋ＞１個のリソース構成のそれぞれに対する無線システムのサブバンドの指示（indication：インジケーション）を含んでもよい。これにより、Ｋ個のリソース構成のそれぞれが異なるサブバンドに適用され、構成に、より柔軟性を提供する。
【００９１】
本明細書において任意の方法のブロックを参照して説明した動作は、明確に述べられていない限り、開示された正確な順序で実行される必要はないことに留意されたい。すなわち、ブロックにおける動作は、示されている順序と逆に、または同時に実行されてもよい。
【００９２】
ここで、本開示の実施形態にかかる送信パターンを構成するための無線システムにおける装置７００の概略ブロック図を示す図７を参照する。一実施形態では、装置７００は、基地局として、またはその一部として実装されてもよい。代替的または追加的に、装置７００は、無線通信システムにおける任意の他の適切なネットワーク要素として実装されてもよい。装置７００は、図２を参照して説明した例示的な方法２００を実行するように動作可能であり、任意の他の処理または方法を実行するように動作可能である。方法２００は、必ずしも装置７００により実行される必要があるわけではないことは理解すべきである。方法２００の少なくともいくつかのブロックは、１つ以上の他のエンティティにより実行することができる。
【００９３】
図７に示すように、装置７００は、送信パターンに使用されるアンテナポート数を指示するように構成されたアンテナポート指示モジュール（antenna port indication module）７０１と、各リソース構成がアンテナポートのＫ個のサブセットの１つに対するリソースを示す、Ｋ個のリソース構成を指示することによりアンテナポート数に対する送信リソースを構成するように構成されたリソース構成モジュール（resource configuration module）７０２と、を含み、Ｋ＞１であり、Ｋ個のサブセットは、アンテナポート数のセットを形成する。
【００９４】
一実施形態では、アンテナポート指示モジュール７０１と、リソース構成モジュール７０２とは、それぞれ、方法２００のブロック２０１およびブロック２０２を参照して説明した動作を実行するように構成することができ、したがって、ここでは、７０１〜７０２のいくつかの詳細な説明は省略する。
【００９５】
一実施形態では、リソース構成モジュール７０２により指示されるＫ個のリソース構成の各々は、これに限られないが、例えば、表４に示す３２個の構成のような構成の予め定められたセットから選択されてもよい。
【００９６】
一例として、Ｋ個のサブセットは、Ｎ１＝４個のアンテナポートを有するサブセット１およびＮ２＝２個のアンテナポートを有するサブセット２とすることができ、Ｋ＝２個のサブセットは、Ｎ＝６個のアンテナポートを形成する。
【００９７】
他の実施形態では、Ｋ個のサブセットのｉ番目のサブセットは、Ｎｉ個のアンテナポートを含んでもよく、Ｋ Ｎｉの全てまたは最小のＮｉを除く全てが整数の予め定められたセットに属してもよい。整数の予め定められたセットは、｛１，２，４，８｝とすることができるが、これに限定されない。さらに他の実施形態では、Ｎｉは、Ｎよりも小さいかまたは等しい任意の適切な数とすることができる。
【００９８】
リソース構成モジュール７０２は、予め定められた順序に従って、Ｋ個のリソース構成を指示するように構成されてもよく、予め定められた順序は、アンテナポートのＫ個のサブセットの各々のサイズに依存してもよい。本開示の実施形態は、順序が送信機と受信機との両方に知られている限り、特定の指示順序に限定されない。
【００９９】
一実施形態では、リソース構成モジュール７０２は、Ｋ個のリソース構成の１つの一部を使用することにより、Ｋ個のサブセットの１つのリソースを示すように構成されてもよい。
【０１００】
他の実施形態では、アンテナポート指示モジュール７０１は、無線リソース制御（radio resource control）ＲＲＣシグナリングを介してアンテナポート数を指示するように構成されてもよい；そして、リソース構成モジュール７０２は、同一のＲＲＣシグナリングを介してＫ個のリソース構成を指示するように構成されてもよい。
【０１０１】
いくつかの実施形態では、送信パターンはＣＳＩ−ＲＳのために構成されるが、本開示の実施形態はこれに限定されない。装置７００は、任意の適切な信号の送信パターンを構成するために使用することができる。
【０１０２】
一実施形態では、追加的または代替的に、装置７００は、Ｋ＞＝１のリソース構成が適用される物理リソースブロック（physical resource block）ＰＲＢのセットを指示するか、またはＫ＞１個のリソース構成の各々に対する物理リソースブロックＰＲＢのセットを指示するように構成されるＰＲＢ指示モジュール（PRB indication module）７０３を含んでもよい。このような指示（indication：インジケーション）の例は、表６Ａおよび６Ｂにそれぞれ見出すことが出来る。
【０１０３】
他の実施形態では、追加的または代替的に、装置７００は、Ｋ＞＝１のリソース構成が適用されるサブフレームのセットを指示するか、またはＫ＞１個のリソース構成の各々のサブフレームのセットを指示するように構成されるサブフレーム指示モジュール（subframe indication module）７０４を含んでもよい。サブフレーム指示（subframe indication）の例は、表７Ａおよび７Ｂに見出すことが出来る。指示されるサブフレームのセットは、時分割複信（time division duplex）ＴＤＤシステムのスペシャルサブフレームを含んでもよく、サブフレームのセットに適用されるリソース構成は、ＴＤＤスペシャルサブフレーム固有のリソース構成を示してもよい。いくつかの実施形態では、ＴＤＤスペシャルサブフレーム固有のリソース構成は、プライマリ同期信号ＰＳＳ、セカンダリ同期信号ＳＳＳ、システム情報ブロック１および物理ブロードキャストチャネルＰＢＣＨのリソースと衝突しないリソースを示す。
【０１０４】
代替的または追加的に、装置７００は、Ｋ個のリソース構成が適用されるシステムのサブバンドを指示するか、またはＫ個のリソース構成の各々に対するシステムのサブバンドを指示するように構成されるサブバンド指示モジュール（subband indication module）７０５を含んでもよい。サブバンド指示（subband indication）の例は表９に見出すことが出来る。
【０１０５】
ここで、本開示の実施形態にかかる無線システムにおける装置７００と通信する装置８００の概略ブロック図を示す図８を参照する。一実施形態では、装置８００は、ＵＥまたはその一部として実装されてもよい。代替的または追加的に、装置８００は、無線通信システムにおける任意の他の適切な装置として実装されてもよい。装置８００は、図６を参照して説明した例示的な方法６００を実行するように動作可能であり、任意の他の処理または方法を実行するように動作可能である。方法６００は必ずしも装置８００によって実行する必要があるわけではないことも理解されたい。方法６００の少なくともいくつかのステップは、１つ以上の他のエンティティによって実行することができる。
【０１０６】
図８に示すように、装置８００は、信号の送信パターン構成を受信するように構成される受信モジュール（receiving module）８０１と、受信された送信パターン構成に従って信号を検出するように構成される検出モジュール（detection module）８０２とを含む。送信パターン構成は、信号送信に使用されるアンテナポート数を示す指示（indication：インジケーション）およびＫ個のリソース構成を含んでもよく、各リソース構成は、アンテナポートのＫ個のサブセットの１つのリソースを示し、Ｋ＞１であり、アンテナポートのＫ個のサブセットは、アンテナポート数のセットを形成する。
【０１０７】
一実施形態では、Ｋ個のリソース構成の各々は、構成の予め定められたセットから選択されてもよい。構成の予め定められたセットの例は、表４に見出すことができる。しかし、本開示の実施形態では、これに限られないことは理解することができる。Ｋ個のサブセットのｉ番目のサブセットはＮｉのアンテナポートを含み、１≦ｉ≦Ｋであり、全てのＮｉまたは最小のＮｉを除くすべてのＮｉは整数の予め定められたセットに属してもよい。例えば、整数の予め定められたセットは、｛１，２，４，８｝であってもよいが、これに限定されない。
【０１０８】
他の実施形態では、送信パターン構成に含まれるＫ個のリソース構成は、予め定められた順序で指示されてもよい。予め定められた順序は、Ｋ個のサブセットの各々のサイズに依存してもよい。
【０１０９】
さらに他の実施形態では、Ｋ個のリソース構成の１つは、１つのリソース構成の一部を使用することにより、Ｋ個のサブセットの１つのリソースを示してもよい。
【０１１０】
一実施形態では、受信モジュール８０１は、無線リソース制御ＲＲＣシグナリングを介して送信パターン構成を受信するように構成されてもよい。しかし、本開示の実施形態は、これに限定されない。一実施形態では、送信パターン構成は、ＣＳＩ−ＲＳに使用することができ、他の実施形態では他の信号に使用することができる。
【０１１１】
方法２００および方法４００を参照して説明したように、一実施形態では、送信パターン構成は、Ｋ＞＝１個のリソース構成が適用される物理リソースブロックＰＲＢのセットの指示（indication：インジケーション）、またはＫ＞１個のリソース構成の各々の物理リソースブロックＰＲＢのセットの指示（indication：インジケーション）を含んでもよく、このような送信パターン構成の例は、表６Ａおよび表６Ｂに見出すことができる。
【０１１２】
他の実施形態では、送信パターン構成は、Ｋ＞＝１個のリソース構成が適用されるサブフレームのセットの指示（indication：インジケーション）、またはＫ＞１個のリソース構成の各々に対するサブフレームのセットの指示（indication：インジケーション）を含んでもよい。上記送信パターン構成の例は、表７Ａおよび表７Ｂを参照して説明されており、ここでは詳述しない。指示されるサブフレームのセットは、一実施形態では、時分割複信ＴＤＤシステムのスペシャルサブフレームを含んでもよい。サブフレームのセットにおいて適用されるリソース構成は、ＴＤＤスペシャルサブフレーム固有のリソース構成を含んでもよい。一実施形態では、ＴＤＤスペシャルサブフレーム固有のリソース構成は、プライマリ同期信号ＰＳＳ、セカンダリ同期信号ＳＳＳ、システム情報ブロック１および物理ブロードキャストチャネルＰＢＣＨのためのリソースと衝突しないリソースを示してもよい。
【０１１３】
他の実施形態では、送信パターン構成は、Ｋ＞＝１個のリソース構成が適用されるシステムのサブバンドの指示（indication：インジケーション）、またはＫ＞１個のリソース構成の各々に対するシステムのサブバンドの指示（indication：インジケーション）を含んでもよい。サブバンドインジケーションの例は表９に見出すことができる。
【０１１４】
装置７００および装置８００におけるいくつかのモジュールは、いくつかの実装を組み合わせることができることは理解できるであろう。例えば、一実施形態では、上述した装置７００において、アンテナポート指示モジュール７０１、リソース構成モジュール７０２、ＰＲＢ指示モジュール７０３、サブフレーム指示モジュール７０４およびサブバンド指示モジュール７０５として機能するために単一の指示モジュールを用いることが可能である。
【０１１５】
図９は、本開示の実施形態を実施する際に使用するのに適した装置９１０および装置９２０の簡略ブロック図を示す。装置９１０は、基地局であってもよい。装置９２０はＵＥであってもよい。
【０１１６】
装置９１０は、データプロセッサ（ＤＰ）９１１のような、少なくとも１つのプロセッサ９１１と、プロセッサ９１１と連結された少なくとも１つのメモリ（ＭＥＭ）９１２と、を備える。装置は、プロセッサ９１１と連結された適切なＲＦ送信機ＴＸおよび受信機ＲＸ９１３をさらに備える（なお、ＲＦ送信機ＴＸおよび受信機ＲＸ９１３は、単一のコンポーネントまたは異なるコンポーネントにより実装されてもよい）。メモリ９１２は、プログラム（ＰＲＯＧ）９１４を格納する。ＰＲＯＧ９１４は、関連するプロセッサ９１１で実行されるとき、装置９１０が本開示の実施形態に従って動作すること、例えば、方法２００を実行するなどを行うことを可能にする命令を含んでもよい。ＴＸ／ＲＸ９１３は、例えば、装置９２０のような、ネットワークにおける他の装置またはデバイスと双方向の無線通信のために使用されてもよい。なお、ＴＸ／ＲＸ９１３は、通信を容易にするために、複数のアンテナ（例えば、ＡＡＳ）を有してもよい。少なくとも１つのプロセッサ９１１および少なくとも１つのＭＥＭ９１２の組み合わせは、本開示の様々な実施形態を実装するために適応される処理手段（processing means）９１５を形成してもよい。
【０１１７】
装置９２０は、ＤＰのような少なくとも１つのプロセッサ９２１と、プロセッサ９２１と連結された少なくとも１つのＭＥＭ９２２とを含む。装置７２０は、プロセッサ９２１と連結された、適切なＲＦ  ＴＸ／ＲＸ９２３をさらに備えてもよい（ＴＸ／ＲＸ９２３は、単一のコンポーネントまたは別々のコンポーネントで実装されてもよい）。ＭＥＭ９２２は、ＰＲＯＧ９２４を格納する。ＰＲＯＧ９２４は、関連するプロセッサ９２１において実行されるとき、装置９２０が、本開示の実施形態に従って動作すること、例えば、方法６００を実行することを可能にする命令を含んでもよい。ＴＸ／ＲＸ９２３は、ネットワークにおける他の装置またはデバイス、例えば装置９１０と双方向の無線通信を行うために存在する。なお、ＴＸ／ＲＸ９２３は、通信を容易にするために複数のアンテナを有してもよい。少なくとも１つのプロセッサ９２１および少なくとも１つのＭＥＭ９２２の組み合わせは、本開示の様々な実施形態を実装するために適応される処理手段９２５を形成してもよい。
【０１１８】
本開示の様々な実施形態は、ソフトウェア、ファームウェア、ハードウェア、またはそれらの組み合わせにおいて、プロセッサ９１１、プロセッサ９２１の１つまたは複数により実行することができるコンピュータプログラムにより実装されてもよい。
【０１１９】
ＭＥＭ９１２、ＭＥＭ９２２は、ローカル技術環境（local technical environment）に適した任意のタイプのものであってもよく、非限定な例として、半導体ベースのメモリデバイス（semiconductor based memory device）、磁気メモリデバイス（magnetic memory device）およびシステム、光メモリデバイス（optical memory device）およびシステム、固定メモリおよびリムーバブルメモリなどの任意の適切なデータ記憶技術を用いて実装されてもよい。装置９１０、装置９２０には１つのＭＥＭしか示されていないが、いくつかの物理的に異なるメモリユニットがあってもよい。
【０１２０】
プロセッサ９１１、プロセッサ９２１は、ローカル技術環境に適した任意のタイプのものでよく、非限定な例として、汎用コンピュータ、専用コンピュータ、マイクロプロセッサ、デジタル信号プロセッサ（ＤＳＰ）、およびマルチコアプロセッサアーキテクチャに基づくプロセッサの１つまたは複数を含んでもよい。装置９１０、装置９２０の各々は、メインプロセッサを同期させるクロックに時間的に従属する特定用途向け集積回路（ＡＳＩＣ：application specific integrated circuit）チップのような、複数のプロセッサを有してもよい。
【０１２１】
上記の説明は、ＬＴＥの文脈でなされているが、本開示の考え方およびスコープを限定するものと解釈されるべきではない。本開示の発想および概念は、例えば、アドホックネットワークのような非セルラネットワークを含む他の無線ネットワークも網羅する（cover）ように一般化することができる。
【０１２２】
さらに、本開示は、上述したコンピュータプログラムを含むキャリアを提供し、キャリアは、電子信号、光信号、無線信号またはコンピュータ可読記憶媒体の１つである。コンピュータ可読記憶媒体は、例えば、光コンパクトディスク、またはＲＡＭ（random access memory）、ＲＯＭ（read only memory）、フラッシュメモリ、磁気テープ、ＣＤ−ＲＯＭ、ＤＶＤ、ブルーレイディスクなどの電子メモリとすることができる。
【０１２３】
実施形態に記述された対応する装置の１または複数の機能を実装する装置が従来技術の手段だけでなく、実施形態に記述された対応する装置の１または複数の機能を実装する手段を備え、別々の機能に対してそれぞれ別々の手段であってもよく、または２以上の機能を実施するような手段として構成することができるように、本明細書に記載の技術は、様々な手段によって実装されてもよい。例えば、これらの技術は、ハードウェア（１または複数の装置）、ファームウェア（１または複数の装置）、ソフトウェア（１または複数のモジュール）、またはそれらの組み合わせで実施されてもよい。ファームウェアまたはソフトウェアの場合、本明細書で記述される機能を実行するモジュール（例えば、手順、機能など）により実装されてもよい。
【０１２４】
本明細書の例示的な実施形態は、方法、装置、すなわちシステムのブロック図およびフローチャートの説明を参照して上に記載されている。ブロック図およびフローチャート図の各ブロック、ならびにブロック図およびフローチャート図におけるブロックの組み合わせは、それぞれ、コンピュータプログラム命令を含む様々な手段により実装することができることは理解できるであろう。コンピュータまたは他のプログラム可能な処理装置上で実行される命令がフローチャートブロックまたはブロックにおいて指定された機能を実装する手段を生成するように、これらのコンピュータプログラムの命令は、機械（machine）を生産する（produce）ために、汎用コンピュータ、専用コンピュータ、または他のプログラム可能なデータ処理装置にロードされてもよい。
【０１２５】
本明細書は、多くの具体的な実装の詳細を含むが、これらは実装の範囲または請求可能なもの範囲を限定と解釈されるべきではなく、むしろ特定の実装の特定の実施形態に特有であってもよい特徴の説明として解釈されるべきである。本明細書の別個の実施形態の文脈において記載される特定の特徴は、単一の実施形態において組み合わせて実装することも出来る。逆に、単一の実施形態の文脈で記載されている様々な特徴は、複数の実施形態で別々に、または任意の適切なサブコンビネーションにより実装することもできる。さらに、特徴は特定の組合せで動作するものとして説明されており、当初はそのように請求されていたとしても、ある場合には、請求された組合せから切り出すことが可能であり、請求された組み合わせは、サブコンビネーションまたはサブコンビネーションの変形に向けられてもよい。
【０１２６】
上述した実施形態は、本開示を限定するのではなく説明するために与えられており、当業者は容易に理解するように、本開示の考え方および範囲から逸脱することなく、改変および変形が可能であることは理解されるべきである。そのような改変および変形は、本開示および添付の特許請求の範囲に関連すると考えられる。本開示の保護範囲は、添付の特許請求の範囲によって規定される。
【図１】
0006620820.tif 000015
【図２】
0006620820.tif 000016
【図３Ａ】
0006620820.tif 000017
【図３Ｂ】
0006620820.tif 000018
【図４Ａ】
0006620820.tif 000019
【図４Ｂ】
0006620820.tif 000020
【図４Ｃ】
0006620820.tif 000021
【図４Ｄ】
0006620820.tif 000022
【図４Ｅ】
0006620820.tif 000023
【図４Ｆ】
0006620820.tif 000024
【図４Ｇ】
0006620820.tif 000025
【図４Ｈ】
0006620820.tif 000026
【図４Ｉ】
0006620820.tif 000027
【図４Ｊ】
0006620820.tif 000028
【図４Ｋ】
0006620820.tif 000029
【図４Ｌ】
0006620820.tif 000030
【図４Ｍ】
0006620820.tif 000031
【図５Ａ】
0006620820.tif 000032
【図５Ｂ】
0006620820.tif 000033
【図５Ｃ】
0006620820.tif 000034
【図５Ｄ】
0006620820.tif 000035
【図６】
0006620820.tif 000036
【図７】
0006620820.tif 000037
【図８】
0006620820.tif 000038
【図９】
0006620820.tif 000039